(57)【要約】【課題】内壁パネルユニットの施工性のさらなる向上と壁面の原状回復性との両立に資する技術を提供すること。【解決手段】室内の壁面Ｗに取付用下地枠２を当接ないし近接させた状態で配置して、アジャスタボルト７０，７０によって取付用下地枠２の長さを調節することによって、天井面ＣＳと床面ＦＳとの間で突っ張った状態で取付用下地枠２を固定することができるとともに、パネル４Ａ，４Ｂ，４Ｃの蟻形溝Ｄｇａ，Ｄｇａ，Ｄｇｂ１，Ｄｇｂ１を取付用下地枠２の第１、第２および第３蟻形ほぞ３０，３０，３２，３２，５０，５０に係合させることによって、複数のパネル４Ａ，４Ｂ，４Ｃを取付用下地枠２に取付けることができる。即ち、ボルトやネジなどの締結部材を用いることなく、室内の壁面Ｗに対向した位置に複数のパネル４Ａ，４Ｂ，４Ｃを設置することができる。【選択図】図２５
2020023786.tif 000002
【特許請求の範囲】
【請求項１】
室内の壁面を装飾するための内壁パネルユニットであって、
長手方向に伸縮自在かつ所望の伸縮状態を維持可能な伸縮部と、前記長手方向に延在する少なくとも１条の蟻形ほぞと、を有する長尺状の基部材と、
前記蟻形ほぞに係合可能な少なくとも１条の蟻形溝を有する複数のパネルと、
を備える
内壁パネルユニット。
【請求項２】
前記蟻形ほぞは、第１蟻形ほぞと、切欠きを挟んで該第１蟻形ほぞと直列に配置された第２蟻形ほぞと、を有しており、
前記パネルは、前記蟻形溝を介して前記第１蟻形ほぞに係合される第１パネルと、前記蟻形溝を介して前記第２蟻形ほぞに係合される第２パネルと、前記切欠きに配置される第３パネルと、を有しており、
前記第１パネルは、前記蟻形溝の延在方向と直交する方向に延在する第１辺部に第１凹部または第１凸部を有しており、
前記第２パネルは、前記蟻形溝の延在方向と直交する方向に延在する第２辺部に第２凹部または第２凸部を有しており、
前記第３パネルは、前記蟻形溝の延在方向と直交する方向に延在する第３辺部に前記第１凹部または前記第１凸部に係合する第３凸部または第３凹部を有していると共に、前記蟻形溝の延在方向と直交する方向に延在する第４辺部に前記第２凹部または前記第２凸部に係合する第４凸部または第４凹部を有している
請求項１に記載の内壁パネルユニット。
【請求項３】
前記基部材は、前記第１蟻形ほぞに係合された前記第１パネルまたは前記第２蟻形ほぞに係合された前記第２パネルを前記長手方向の所定位置に一時的に保持可能な保持部を有している
請求項２に記載の内壁パネルユニット。
【請求項４】
前記保持部は、前記基部材と前記第１パネルまたは前記第２パネルとの間に配置された板バネを有している
請求項３に記載の内壁パネルユニット。
【請求項５】
前記切欠きは、前記第１、第２および第３パネルそれぞれの前記蟻形溝の長さのうち最も長い前記蟻形溝の長さ以上となる長さを有している
請求項２ないし４のいずれか１項に記載の内壁パネルユニット。
【請求項６】
前記第１蟻形ほぞは、前記第１パネルの前記蟻形溝の延在方向の１/２以上の長さに亘って、前記第１パネルの前記蟻形溝と係合可能な長さを有しており、
前記第２蟻形ほぞは、前記第２パネルの前記蟻形溝の延在方向の１/２以上の長さに亘って、前記第２パネルの前記蟻形溝と係合可能な長さを有している
請求項２ないし５のいずれか１項に記載の内壁パネルユニット。
【請求項７】
前記基部材は、長尺状の一対の主柱と、該一対の主柱を連結する複数の連結梁と、を有しており、
前記伸縮部は、一対のアジャスタボルトを有しており、
該アジャスタボルトは、該アジャスタボルトの軸線方向の第１端部が前記一対の主柱の各々の長手方向の第１端部に取り付けられており、
前記蟻形ほぞは、前記一対の主柱の各々に設けられており、
前記蟻形溝は、前記蟻形ほぞに対応して前記パネルに２条設けられている
請求項１ないし６のいずれか１項に記載の内壁パネルユニット。
【請求項８】
前記複数の連結梁は、前記基部材の長手方向の第２端部に取り付けられた第１端部梁を有しており、
前記伸縮部は、前記一対のアジャスタボルトの軸線方向の第２端部に取り付けられた第２端部梁を有しており、
前記第１端部梁は、前記基部材の長手方向の第２端部に取り付けられた側とは反対側に、前記基部材の長手方向と直交する第１平面を有しており、
前記第２端部梁は、前記一対のアジャスタボルトの軸線方向の第２端部に取り付けられた側とは反対側に、前記一対のアジャスタボルトの軸線方向と直交する第２平面を有している
請求項７に記載の内壁パネルユニット。
【請求項９】
前記基部材は、該基部材の長手方向の途中を境に第１部分と第２部分とに分割可能に構成されている
請求項１ないし８のいずれか１項に記載の内壁パネルユニット。
【請求項１０】
前記第１部分は、該第１部分の長手方向の第１端部に第５凹部または第５凸部を有しており、
前記第２部分は、該第２部分の長手方向の第１端部に前記第５凹部または前記第５凸部に係合可能な第６凸部または第６凹部を有している
請求項９に記載の内壁パネルユニット。
【発明の詳細な説明】
【技術分野】
【０００１】
本発明は、室内の壁面を装飾するための内壁パネルユニットに関する。
【背景技術】
【０００２】
特開２０１０−５３５４７号公報（特許文献１）には、Ｌ型金具と、当該Ｌ型金具に掛止される掛金具を有する木質パネルと、を備える内壁パネルユニットが記載されている。
【０００３】
当該内壁パネルユニットでは、室内の壁面にＬ型金具を取り付けると共に、当該Ｌ型金具に掛金具を掛止することによって、室内の壁面に簡易に木質パネルを取り付けることができるため、専門の内装業者に委託することなく、居住者自身で室内の模様替えを手軽に行うことができる。
【先行技術文献】
【特許文献】
【０００４】
【特許文献１】特開２０１０−５３５４７号公報
【発明の概要】
【発明が解決しようとする課題】
【０００５】
ところで、室内の壁面は、木造や鉄骨造の場合には、合板を介して間柱や胴縁に取り付けられた石膏ボードに壁紙を貼り付けることにより構成されており、ＲＣ造の場合には、コンクリートにより構成されているため、Ｌ型金具を室内の壁面に取り付けることは、素人にとっては、必ずしも容易でない場合がある。
【０００６】
即ち、室内の壁面が石膏ボードにより構成されている場合、間柱や胴縁に対応した位置にＬ型金具を取り付ける必要があるが、外見上、何処に間柱や胴縁が配置されているのかを見極めることは難しい。また、室内の壁面がコンクリートにより構成されている場合、当該コンクリートにＬ型金具を取り付けるための取付孔をあける必要があり、場合によっては、専用の工具が必要となる。接着剤や両面テープなどを用いてＬ型金具を室内の壁面に取り付けることも考えられるが、壁面の破損や汚れを招き、原状回復が不可能となってしまう。このように、上述した公報に記載の内壁パネルユニットでは、内壁パネルユニットの施工性の向上と壁面の原状回復性との両立という点において、なお改良の余地がある。
【０００７】
本発明は、上記に鑑みてなされたものであり、内壁パネルユニットの施工性のさらなる向上と壁面の原状回復性との両立に資する技術を提供することを目的の一つとする。
【課題を解決するための手段】
【０００８】
本発明の内壁パネルユニットは、上述の目的を達成するために以下の手段を採った。
【０００９】
本発明に係る内壁パネルユニットの好ましい形態によれば、室内の壁面を装飾するための内壁パネルユニットが構成される。当該内壁パネルユニットは、長尺状の基部材と、複数のパネルと、を備えている。基部材は、長手方向に伸縮自在かつ所望の伸縮状態を維持可能な伸縮部と、長手方向に延在する少なくとも１条の蟻形ほぞと、を有している。また、複数のパネルは、蟻形ほぞに係合可能な少なくとも１条の蟻形溝を有している。ここで、本発明における「室内の壁面」とは、典型的には、天井面と床面とを接続する側壁の室内側の壁面がこれに該当するが、天井面を好適に包含する。
を備える
【００１０】
本発明によれば、例えば、天井面と床面とを接続する側壁の室内側の壁面に基部材を当接ないし近接させた状態で配置して、当該基部材の伸縮部を伸長させることによって、天井面と床面との間で突っ張った状態で当該基部材を固定することができると共に、パネルの蟻形溝を基部材の蟻形ほぞに係合させることによって、複数のパネルを基部材に取付けることができる。即ち、ボルトやネジなどの締結部材を用いることなく、室内の壁面に対向した位置に複数のパネルを設置することができる。これにより、居住者自身で室内の模様替えを手軽に行うことができる。なお、パネルの交換が容易なため、好みのデザインや用途に応じたパネルを選択する自由度が増加する。また、パネルの設置に際して、接着剤や両面テープなどを用いていないため、経時劣化による内壁パネルユニットの壁面からの脱落（剥がれ）が生じることや、既存の壁面を傷つけることがない。なお、既存の壁面を傷つけることがないため、内壁パネルユニットの解体後においても、原状回復が可能である。
【００１１】
本発明に係る内壁パネルユニットの更なる形態によれば、蟻形ほぞは、第１蟻形ほぞと、切欠きを挟んで当該第１蟻形ほぞと直列に配置された第２蟻形ほぞと、を有している。また、パネルは、蟻形溝を介して第１蟻形ほぞに係合される第１パネルと、蟻形溝を介して第２蟻形ほぞに係合される第２パネルと、切欠きに配置される第３パネルと、を有している。さらに、第１パネルは、蟻形溝の延在方向と直交する方向に延在する第１辺部に第１凹部または第１凸部を有している。また、第２パネルは、蟻形溝の延在方向と直交する方向に延在する第２辺部に第２凹部または第２凸部を有している。また、第３パネルは、蟻形溝の延在方向と直交する方向に延在する第３辺部に第１凹部または第１凸部に係合する第３凸部または第３凹部を有していると共に、蟻形溝の延在方向と直交する方向に延在する第４辺部に第２凹部または前記第２凸部に係合する第４凸部または第４凹部を有している。
【００１２】
ここで、本発明における「第１凸部」、「第２凸部」、「第３凸部」および「第４凸部」は、それぞれ第１パネル、第２パネルおよび第３パネルに一体成形される態様の他、第１パネル、第２パネルおよび第３パネルとは別体に成形した後に、当該第１パネル、第２パネルおよび第３パネルに一体にされる態様を好適に包含する。
【００１３】
本形態によれば、第１蟻形ほぞと第２蟻形ほぞとの間に切欠きを有するため、例えば、天井面と床面とを接続する側壁の室内側の壁面に基部材を当接ないし近接させると共に、天井面と床面との間で突っ張った状態で固定した後で、パネルを基部材に取付けることができる。これにより、内壁パネルユニットの施工性をさらに向上することができる。なお、第１および第２パネルは、第１および第２蟻形ほぞに係合されることによって、基部材に取付けられ、第３パネルは、第３凸部または第３凹部が第１パネルの第１凹部または第１凸部と係合されると共に、第４凸部または第４凹部が第２パネルの第２凹部または第２凸部と係合されることによって、第１および第２パネルを介して基部材に取付けられるため、パネルの基部材からの脱落防止と、パネルの基部材への取付性の向上と、の両立を図ることができる。
【００１４】
本発明に係る内壁パネルユニットの更なる形態によれば、基部材は、第１蟻形ほぞに係合された第１パネルまたは第２蟻形ほぞに係合された第２パネルを、基部材の長手方向における所定位置に一時的に保持可能な保持部を有している。
【００１５】
本形態によれば、例えば、基部材が天井面と床面との間で突っ張った状態で固定された場合であって、第３パネルを第１および第２パネルによって挟み込むことによって、切欠きに配置された第３パネルを基部材に取付ける態様の場合に、切欠きを挟んで天井面側に配置されることになる第１パネルまたは第２パネルを、手で押さえることなく切欠きよりも天井面側に寄せた状態で保持することができる。これにより、切欠きを介して第３パネルを第１パネルと第２パネルとの間に容易に設置することができる。この結果、パネルの基部材への取付性をより一層向上することができる。
【００１６】
本発明に係る内壁パネルユニットの更なる形態によれば、保持部は、基部材と第１パネルまたは第２パネルとの間に配置された板バネを有している。
【００１７】
本形態によれば、基部材と第１パネルとの間で弾性変形する板バネの復元力（バネ力）を利用して第１パネルまたは第２パネルを基部材の長手方向における所定位置に保持することができる。
【００１８】
本発明に係る内壁パネルユニットの更なる形態によれば、切欠きは、第１、第２および第３パネルそれぞれの蟻形溝の長さのうち最も長い蟻形溝の長さ以上となる長さを有している。
【００１９】
本形態によれば、第１および第２パネルの蟻形溝を切欠きを介してそれぞれ第１および第２蟻形ほぞに係合させることができると共に、第３パネルを切り欠きに設置することができる。
【００２０】
本発明に係る内壁パネルユニットの更なる形態によれば、第１蟻形ほぞは、第１パネルの蟻形溝の延在方向の１/２以上の長さに亘って、当該第１パネルの蟻形溝と係合可能な長さを有している。そして、第２蟻形ほぞは、当該第２パネルの蟻形溝の延在方向の１/２以上の長さに亘って、当該第２パネルの蟻形溝と係合可能な長さを有している
【００２１】
本発明に係る内壁パネルユニットの更なる形態によれば、基部材は、長尺状の一対の主柱と、当該一対の主柱を連結する複数の連結梁と、を有している。また、伸縮部は、一対のアジャスタボルトを有している。さらに、アジャスタボルトは、当該アジャスタボルトの軸線方向の第１端部が一対の主柱の各々の長手方向の第１端部に取り付けられている。また、蟻形ほぞは、一対の主柱の各々に設けられている。そして、蟻形溝は、蟻形ほぞに対応してパネルに２条設けられている。
【００２２】
本形態によれば、基部材が梯子状を有するため、基部材の軽量化を図ることができる。これにより、内壁パネルユニットの搬送性の向上を図ることができる。また、アジャスタボルトの伸縮を行うのみで、例えば、天井面と床面との間に突っ張った状態で基部材を固定することができるため、施工性の向上も図ることができる。
【００２３】
本発明に係る内壁パネルユニットの更なる形態によれば、複数の連結梁は、基部材の長手方向の第２端部に取り付けられた第１端部梁を有している。また、伸縮部は、一対のアジャスタボルトの軸線方向の第２端部に取り付けられた第２端部梁を有している。そして、第１端部梁は、基部材の長手方向の第２端部に取り付けられた側とは反対側に、基部材の長手方向と直交する第１平面を有しており、第２端部梁は、一対のアジャスタボルトの軸線方向の第２端部に取り付けられた側とは反対側に、一対のアジャスタボルトの軸線方向と直交する第２平面を有している。ここで、本発明における「第１端部梁」および「第２端部梁」は、典型的には、角材がこれに該当するが、平板を好適に包含する。
【００２４】
本形態によれば、例えば、天井面と床面との間に基部材を突っ張った状態で固定する際に、第１および第２端部梁によって、基部材が天面および床面と比較的広い面積で面接触され得るため、天井面および床面に対する突っ張り力が同じであれば、天井面や床面に作用する面圧を低下させることができる。これにより、天井面や床面を傷つけることがないため、内壁パネルユニットの解体後においても、原状回復が可能である。また、基部材が天面および床面と比較的広い面積で面接触され得るため、天井面や床面に設けられた下地に基部材を確実に当接させることができる。これにより、基部材の固定を安定したものとすることができる。さらに、第１および第２端部梁が、パネルと天井面との隙間やパネルと床面との隙間の目地としても機能するため、意匠的にも良好なものとすることができる。
【００２５】
本発明に係る内壁パネルユニットの更なる形態によれば、基部材は、当該基部材の長手方向の途中を境に第１部分と第２部分とに分割可能に構成されている。
【００２６】
本形態によれば、基部材が第１部分と第２部分とに分割可能であるため、コンパクトに梱包することができると共に、搬送性を向上することができる。
【００２７】
本発明に係る内壁パネルユニットの更なる形態によれば、第１部分は、当該第１部分の長手方向の第１端部に第５凹部または第５凸部を有している。そして、第２部分は、当該第２部分の長手方向の第１端部に第５凹部または第５凸部に係合可能な第６凸部または第６凹部を有している。ここで、本発明における「第５凸部」および「第６凸部」は、それぞれ第１部分および第２部分に一体成形される態様の他、第１部分および第２部分とは別体に成形した後に、当該第１部分および第２部分に一体にされる態様を好適に包含する。
【００２８】
本形態によれば、第１部分の第５凹部または第５凸部と、第２部分の第６凸部または第６凹部と、の係合および係合の解除を行うのみであるため、簡易に基部材の組み立ておよび分割を行うことができる。
【発明の効果】
【００２９】
本発明によれば、内壁パネルユニットの施工性のさらなる向上と、耐久性の低下抑制と、の両立に資する技術を提供することができる。
【図面の簡単な説明】
【００３０】
【図１】本発明の実施の形態に係る内壁パネルユニット１の構成の概略を示す概略構成図である。
【図２】取付用下地枠２の構成の概略を示す概略構成図である。
【図３】上側枠２０の構成を示す三面図である。
【図４】図３のＡ−Ａ断面を示す断面図である。
【図５】板バネＰＳの外観を示す外観図である。
【図６】下側枠４０の構成を示す三面図である。
【図７】アジャスタボルト７０の外観を示す外観図である。
【図８】取付用下地枠２の要部を水平方向に沿う方向の一方側から見た説明図である。
【図９】取付用下地枠２の要部を一対の主柱２２，２２および連結梁２８の両方に直交する方向に沿う方向の一方側から見た説明図である。
【図１０】パネル４Ａの構成を示す三面図である。
【図１１】パネル４Ａを裏面から見た裏面図である。
【図１２】パネル４Ｂの構成を示す三面図である。
【図１３】パネル４Ｂを裏面から見た裏面図である。
【図１４】パネル４Ｃの構成を示す三面図である。
【図１５】取付用下地枠２にパネル４Ａを取り付ける際の様子を示す説明図である。
【図１６】パネル４Ａの蟻形溝Ｄｇａ，Ｄｇａおよびパネル４Ｂ，４Ｃの第１蟻形溝Ｄｇｂ１，Ｄｇｂ１が、第１、第２および第３蟻形ほぞ溝３０，３０，３２，３２，５０，５０に係合された状態を示す説明図である。
【図１７】取付用下地枠２にパネル４Ｂを取り付ける際の様子を示す説明図である。
【図１８】取付用下地枠２にパネル４Ｃを取り付ける際の様子を示す説明図である。
【図１９】最も天井面ＣＳ側に配置されるパネル４Ｂを取付用下地枠２に取り付ける際の様子を示す説明図である。
【図２０】最も天井面ＣＳ側に配置されるパネル４Ｂを取付用下地枠２の天井面ＣＳ側に寄せた状態を示す説明図である。
【図２１】最も天井面ＣＳ側に配置されるパネル４Ｂが板バネＰＳ，ＰＳによって取付用下地枠２の天井面ＣＳ側に寄せられた状態で保持された様子を示す説明図である。
【図２２】切欠き３４に最後のパネル４Ｃを配置する様子を示す説明図である。
【図２３】最後のパネル４Ｃの実溝ＳＬｂを当該パネル４Ｃの直下に配置されたパネル４Ｃの雇い実ＳＰに係合させる様子を示す説明図である。
【図２４】最後のパネル４Ｃの実溝ＳＬｂが当該パネル４Ｃの直下に配置されたパネル４Ｃの雇い実ＳＰに係合される様子を拡大して示す説明図である。
【図２５】最後のパネル４Ｃの直上に配置されたパネル４Ｂの実溝ＳＬｂを最後のパネル４Ｃの雇い実ＳＰに係合させる様子を示す説明図である。
【図２６】最後のパネル４Ｃの直上に配置されたパネル４Ｂの実溝ＳＬｂが最後のパネル４Ｃの雇い実ＳＰに係合される様子を拡大して示す説明図である。
【図２７】室内の壁面Ｗの広い範囲に複数の内壁パネルユニット１を設置した状態を示す説明図である。
【図２８】天井面ＣＳと床面ＦＳとの間に突っ張った状態で固定された取付用下地枠２を水平方向に複数配置した様子を示す説明図である。
【図２９】変形例のパネル１０４Ｂ，１０４Ｃを裏面から見た裏面図である。
【発明を実施するための形態】
【００３１】
次に、本発明を実施するための最良の形態を実施例を用いて説明する。
【００３２】
本発明の実施の形態に係る内壁パネルユニット１は、図１に示すように、取付用下地枠２と、当該取付用下地枠２に取り付けられる木製の複数のパネル４Ａ，４Ｂ，４Ｃと、を備えている。
【００３３】
なお、本実施の形態では、説明の便宜上、天井面ＣＳ側（図１における上側）を「上側」ないし「上方」として規定し、床面ＦＳ側（図１における下）を「下側」ないし「下方」として規定する。また、複数の内壁パネルユニット１を配列する方向（図２７における左右方向）を「水平方向」として規定する。
【００３４】
取付用下地枠２は、図２に示すように、木製の枠本体１０と、一対のアジャスタボルト７０，７０と、木製の上側角材９０と、から構成されている。枠本体１０は、上側枠２０と、下側枠４０と、を備えている。取付用下地枠２は、本発明における「基部材」に対応し、アジャスタボルト７０は、本発明における「伸縮部」に対応する実施構成の一例である。
【００３５】
上側枠２０は、図３に示すように、長尺状の一対の主柱２２，２２と、当該一対の主柱２２，２２を連結する３本の連結梁２８，２８，２８と、を備える梯子状を有している。一対の主柱２２，２２の長手方向の一方の小口２３，２３には、連結梁２８，２８，２８の延在方向と同方向に延在する一条の凹溝２３ａ，２３ａが形成されている。上側枠２０は、本発明における「第１部分」に対応し、小口２３，２３は、本発明における「一対の主柱の各々の長手方向の第１端部」に対応する実施構成の一例である。
【００３６】
凹溝２３ａ，２３ａの底面には、袋小路孔２３ｂ，２３ｂが形成されている。当該袋小路孔２３ｂ，２３ｂは、一対のアジャスタボルト７０，７０の後述する軸部７２，７２の外径よりも大きい内径を有しており、凹溝２３ａ，２３ａの延在方向のほぼ中央に配置されている。
【００３７】
また、一対の主柱２２，２２の一方の小端（以下、「表側小端２４，２４」という）の長手方向の他方には、図３に示すように、他方の小端（以下、「裏側小端２６，２６」という）が直角に切欠かれた切欠き段差部２５，２５が形成されている。当該切欠き段差部２５，２５の段差面２５ａ，２５ａには、段差面２５ａ，２５ａから裏側小端２６，２６まで貫通する貫通孔２５ｂ，２５ｂが形成されている。切欠き段差部２５，２５は、本発明における「第５凹部」または「第５凸部」に対応する実施構成の一例である。
【００３８】
表側小端２４，２４には、図３に示すように、一対の主柱２２，２２の長手方向に沿って延在する第１蟻形ほぞ３０，３０および第２蟻形ほぞ３２，３２が設けられている。第１および第２蟻形ほぞ３０，３０，３２，３２は、図４に示すように、表側小端２４，２４から離れるに伴ってほぞ幅（図４の左右方向の寸法）が漸増する形状を有している。換言すれば、第１および第２蟻形ほぞ３０，３０，３２，３２は、一対の側面３１，３１が表側小端２４，２４から離れるに伴って互いに離れる方向の傾斜角度αを有していると言うことができる。第１蟻形ほぞ３０，３０は、本発明における「第１蟻形ほぞ」に対応し、第２蟻形ほぞ３２，３２は、本発明における「第２蟻形ほぞ」に対応する実施構成の一例である。
【００３９】
第１蟻形ほぞ３０，３０は、図３に示すように、一対の主柱２２，２２の長手方向の一方の小口２３，２３から切欠き段差部２５，２５に向かって延在しており、パネル４Ｂの後述する一対の蟻形溝Ｄｇｂ１，Ｄｇｂ１の長さＬｇｂ（例えば、Ｌｇｂ＝４５０ｍｍ）よりも短い長さを有している。なお、第１蟻形ほぞ３０，３０は、パネル４Ｂの一対の蟻形溝Ｄｇｂ１，Ｄｇｂ１の長さＬｇｂの１／２以上の長さ（例えば、Ｌｇｂ＝２２５ｍｍ）に亘って、当該一対の蟻形溝Ｄｇｂ１，Ｄｇｂ１と係合可能な長さを有するにように構成されていることが望ましい。
【００４０】
また、第１蟻形ほぞ３０，３０のうち小口２３，２３寄りの一部分は、ほぞ高さが他よりも低くい低ほぞ部３０ａ，３０ａとされている。換言すれば、第１蟻形ほぞ３０，３０は、他よりも高さが一段低い低ほぞ部３０ａ，３０ａを有していると言うことができる。低ほぞ部３０ａ，３０ａには、ネジ孔３０ｂ，３０ｂが形成されている。
【００４１】
なお、低ほぞ部３０ａ，３０ａには、図８に示すように、板バネＰＳ，ＰＳが取り付けられている。板バネＰＳは、細長い板状のバネ鋼により成形されており、図５に示すように、一対の平面部Ｐｐｓ１，Ｐｐｓ２と、当該一対の平面部Ｐｐｓ１，Ｐｐｓ２に設けられた湾曲状部Ｃｐｓと、から構成されている。平面部Ｐｐｓ１には、貫通孔ｈｐが形成されている。湾曲状部Ｃｐｓは、細長い板状のバネ鋼に曲げ加工を施すことによって成形される。板バネＰＳは、本発明における「保持部」および「板バネ」に対応する実施構成の一例である。
【００４２】
こうして構成された板バネＰＳ，ＰＳは、貫通孔ｈｐ，ｈｐが低ほぞ部３０ａ，３０ａのネジ孔３０ｂ，３０ｂに整合するように、一対の平面部Ｐｐｓ１，Ｐｐｓ２を低ほぞ部３０ａ，３０ａに当接させた状態で、貫通孔ｈｐ，ｈｐを介して挿通される図示しないネジやボルトなどの締結部材をネジ孔３０ｂ，３０ｂにネジ係合させることにより、低ほぞ部３０ａ，３０ａに取り付けられる（図８および図９参照）。即ち、板バネＰＳ，ＰＳは、長手方向の一方側（平面部Ｐｐｓ１，Ｐｐｓ１側）のみが固定され、他方側（平面部Ｐｐｓ２，Ｐｐｓ２側）が自由端とされている。
【００４３】
なお、板バネＰＳ，ＰＳの長手方向の他方側の端面（平面部Ｐｐｓ２，Ｐｐｓ２側の端面）と、第１蟻形ほぞ３０，３０と低ほぞ部３０ａ，３０ａとの接続面（段差面）と、の間には、図８に示すように、所定の隙間ｃｌが設けられている。また、板バネＰＳ，ＰＳが低ほぞ部３０ａ，３０ａに取り付けられた状態においては、図８に示すように、湾曲状部Ｃｐｓの一部が、第１蟻形ほぞ３０，３０の突出端（第１蟻形ほぞ３０，３０の表側小端２４，２４からの突出方向における先端）よりも所定量ｄだけ突出している。
【００４４】
第２蟻形ほぞ３２，３２は、図３に示すように、切欠き３４，３４を介して第１蟻形ほぞ３０，３０と直列に配置されている。換言すれば、第２蟻形ほぞ３２，３２と第１蟻形ほぞ３０，３０とは、切欠き３４，３４を挟んで一直線に配置されている言うことができる。第２蟻形ほぞ３２，３２は、切欠き段差部２５，２５まで延在している。なお、第２蟻形ほぞ３２，３２は、後述する第３蟻形ほぞ５０，５０を含めて、パネル４Ｃ（取付用下地枠２に最後に取り付けられるパネル４Ｃ）の後述する一対の蟻形溝Ｄｇｂ１，Ｄｇｂ１の長さＬｇｂの１／２以上の長さ（例えば、Ｌｇｂ＝２２５ｍｍ）に亘って、当該一対の蟻形溝Ｄｇｂ１，Ｄｇｂ１と係合可能な長さを有するにように構成されていることが望ましい。
【００４５】
一対の主柱２２，２２の長手方向に沿う方向の切欠き３４，３４の長さＬｎは、パネル４Ｂ，４Ｃの後述する一対の蟻形溝Ｄｇｂ１，Ｄｇｂ１，Ｄｇｂ２，Ｄｇｂ２の長さＬｇｂ（図１３参照、例えば、Ｌｇｂ＝４５０ｍｍ）以上に設定されている。
【００４６】
下側枠４０は、図６に示すように、長尺状の一対の主柱４２，４２と、当該一対の主柱４２，４２を連結する３本の連結梁２８，２８，２８および下側角材４９と、を備える梯子状を有している。ここで、一対の主柱４２，４２の連結に、一対の主柱２２，２２を連結する連結梁２８，２８，２８を用いることによって、一対の主柱４２，４２間の距離が一対の主柱２２，２２間の距離と同じになっている。下側枠４０は、本発明における「第２部分」に対応する実施構成の一例である。
【００４７】
一対の主柱４２，４２の一方の小端（以下、「表側小端４４，４４」という）には、図６に示すように、当該一対の主柱４２，４２の長手方向に沿って延在する第３蟻形ほぞ５０，５０が設けられている。第３蟻形ほぞは、一対の主柱４２，４２の長手方向の一端から他端まで延在している。
【００４８】
第３蟻形ほぞ５０，５０は、基本的には、第１および第２蟻形ほぞ３０，３０，３２，３２と同様の形状、即ち、第１および第２蟻形ほぞ３０，３０，３２，３２と同じほぞ高さ、ほぞ幅を有している。なお、第３蟻形ほぞ５０，５０は、第１および第２蟻形ほぞ３０，３０，３２，３２と同様、表側小端４４，４４から離れるに伴ってほぞ幅が漸増する形状を有している。換言すれば、第３蟻形ほぞ５０，５０は、一対の側面が表側小端４４，４４から離れるに伴って互いに離れる方向の傾斜角度αを有していると言うことができる（図４参照）。第３蟻形ほぞ５０，５０は、本発明における「第２蟻形ほぞ」に対応する実施構成の一例である。
【００４９】
また、一対の主柱４２，４２の長手方向の他方には、図６に示すように、他方の小端（以下、「裏側小端４６，４６」という）が直角に切欠かれた切欠き段差部４５，４５が形成されている。当該切欠き段差部４５，４５の段差面４５ａ，４５ａには、袋小路孔４５ｂ，４５ｂが形成されている。袋小路孔４５ｂ，４５ｂは、上側枠２０の貫通孔２５ｂ，２５ｂの内径と同じ大きさに形成されている。
【００５０】
切欠き段差部４５，４５は、一対の主柱２２，２２の切欠き段差部２５，２５と整合する形状に形成されている。即ち、切欠き段差部４５，４５によって切欠き段差部２５，２５の段差が埋められ、逆に、切欠き段差部２５，２５によって切欠き段差部４５，４５の段差が埋められる関係となっている。なお、袋小路孔４５ｂ，４５ｂは、切欠き段差部２５，２５の段差面２５ａ，２５ａにおける貫通孔２５ｂ，２５ｂの配置に対応するように段差面４５ａ，４５ａに配置されている。切欠き段差部４５，４５は、本発明における「第６凸部」または「第６凹部」に対応する実施構成の一例である。
【００５１】
下側角材４９は、長手方向に直交する断面形状が長方形状を有しており、一対の主柱４２，４２の長手方向の他方の小口４３，４３に、当該一対の主柱４２，４２に直交するように一体にされている。下側角材４９の長手方向の長さは、本実施の形態では、パネル４Ａ，４Ｂ，４Ｃの後述する一辺の長さＬａ２，Ｌｂ（例えば、Ｌａ２，Ｌｂ＝４５０ｍｍ）と等しい値に設定されている。なお、下側角材４９は、下側角材４９の長手方向の中央と一対の主柱４２，４２間の中央とが一致するように、一対の主柱４２，４２に固定されている。下側角材４９は、本発明における「第１端部梁」に対応する実施構成の一例である。
【００５２】
アジャスタボルト７０は、図７に示すように、雄ネジを有する軸部７２と、当該軸部７２の軸線方向の一端部に一体にされた円板状の受部７４と、雄ネジにネジ係合されたナット７６と、取付金具７８と、を備えている。
【００５３】
受部７４には、図７に示すように、貫通孔７４ａが形成されている。ナット７６は、座面が受部７４とは反対側を向くように軸部７２のネジ部にネジ係合されている。取付金具７８は、断面Ｕ字状の金具本体７８ａと、当該金具本体７８ａに一体にされた座金７８ｂと、から構成されている。受部７４は、本発明における「アジャスタボルトの軸線方向の第２端部」に対応する実施構成の一例である。
【００５４】
金具本体７８ａおよび座金７８ｂには、図７に示すように、貫通孔７８ａ’，７８ｂ’が形成されている。貫通孔７８ａ’，７８ｂ’は、同軸線上に配置されており、軸部７２の外径（雄ネジの外径）よりも大きな内径を有している。金具本体７８ａは、Ｕ字幅ｗｕが主柱２２の長手方向の一方の小口２３に形成された一条の凹溝２３ａの溝幅と同じか若干小さくなるように形成されている。
【００５５】
取付金具７８は、図８に示すように、金具本体７８ａを一条の凹溝２３ａ内に嵌装し、貫通孔７８ａ’，７８ｂ’を一条の凹溝２３ａの底面に形成された袋小路孔２３ｂに整合させた状態で、図示しないネジやボルトなどの締結部材によって主柱２２に固定される。このとき、座金７８ｂの一方の主面（金具本体７８ａが接続された面）が、主柱２２の小口２３に当接される。
【００５６】
こうして主柱２２に取り付けられた取付金具７８の貫通孔７８ａ’，７８ｂ’に、受部７４が一体にされると共にナット７６がネジ係合された軸部７２を挿通することによって、アジャスタボルト７０が主柱２２に取り付けられる。このとき、軸部７２の先端部は、主柱２２に形成された袋小路孔２３ｂ内に挿通されると共に、ナット７６の座面が座金７８ｂの他方の主面（金具本体７８ａが接続された面とは反対側の面）に当接される（図７、図８および図９参照）。
【００５７】
上側角材９０は、長手方向に直交する断面形状が略正方形状を有しており（図８参照）、図９に示すように、一対のアジャスタボルト７０，７０の受部７４，７４に図示しないネジやボルトなどの締結部材によって締結されている。上側角材９０の長手方向の長さは、本実施の形態では、パネル４Ａ，４Ｂ，４Ｃの一辺の長さＬａ２，Ｌｂ（例えば、Ｌａ２，Ｌｂ＝４５０ｍｍ）と等しい値に設定されている。なお、上側角材９０は、上側角材９０の長手方向の中央が一対の主柱２２，２２間の中央に一致するように受部７４，７４に固定されている。上側角材９０は、本発明における「第２端部梁」に対応する実施構成の一例である。
【００５８】
パネル４Ａは、図１０に示すように、平面視（主面に直交する直線に沿う方向の一方側から見たときに）長方形状を有しており、化粧板４Ａ１と、当該化粧板４Ａ１の裏面に一体にされた裏板４Ａ２と、から構成されている。パネル４Ａの縦寸法Ｌａ１は、例えば、１１５ｍｍに設定されており、横寸法Ｌａ２は、例えば、４５０ｍｍに設定されている。化粧板４Ａ１の４つ側面のうち横方向（図１０の左右方向）に延在する一対の横側面４Ａ１ｓ，４Ａ１ｓのそれぞれには、横方向全域に亘って実溝ＳＬａ,ＳＬａが形成されている。
【００５９】
裏板４Ａ２には、図１１に示すように、一対の蟻形溝Ｄｇａ，Ｄｇａが縦方向（図１１の上下方向）に延在するように形成されている。一対の蟻形溝Ｄｇａ，Ｄｇａは、縦方向全域に亘って形成されている。即ち、一対の蟻形溝Ｄｇａ，Ｄｇａの長さ寸法Ｌｇａは、パネル４Ａの縦寸法Ｌａ１と等しい（Ｌｇａ＝Ｌａ１＝１１５ｍｍ）。
【００６０】
また、一対の蟻形溝Ｄｇａ，Ｄｇａは、上側枠２０および下側枠４０に設けられた一対の第１、第２および第３蟻形ほぞ３０，３０，３２，３２，５０，５０に対応する形状、即ち、一対の蟻形溝Ｄｇａ，Ｄｇａは、溝底に向かうのに伴って溝幅が漸増する形状を有している。換言すれば、一対の蟻形溝Ｄｇａ，Ｄｇａは、一対の側面が溝底に向かうのに伴って互いに離れる方向の傾斜角度αを有していると言うことができる。一対の蟻形溝Ｄｇａ，Ｄｇａ間の間隔は、一対の第１、第２および第３蟻形ほぞ３０，３０，３２，３２，５０，５０間の間隔と同じとなるように設定されている。
【００６１】
パネル４Ｂは、図１２に示すように、平面視（主面に直交する直線に沿う方向の一方側から見たときに）正方形状を有しており、化粧板４Ｂ１と、当該化粧板４Ｂ１の裏面に一体にされた裏板４Ｂ２と、から構成されている。パネル４Ｂの一辺の寸法Ｌｂは、例えば、４５０ｍｍに設定されている。化粧板４Ｂ１の４つ側面のそれぞれには、実溝ＳＬｂ,ＳＬｂ,ＳＬｂ,ＳＬｂが形成されている。隣り合う実溝ＳＬｂ,ＳＬｂ,ＳＬｂ,ＳＬｂ同士は、連結されて、環状をなしている。
【００６２】
裏板４Ｂ２には、図１３に示すように、一対の蟻形溝Ｄｇｂ１，Ｄｇｂ１が縦方向（図１３の上下方向）に延在するように形成されているとともに、一対の蟻形溝Ｄｇｂ２，Ｄｇｂ２が横方向（図１３の左右方向）に延在するように形成されている。一対の蟻形溝Ｄｇｂ１，Ｄｇｂ１は、縦方向全域に亘って形成されており、一対の蟻形溝Ｄｇｂ２，Ｄｇｂ２は、横方向全域に亘って形成されている。即ち、一対の蟻形溝Ｄｇｂ１，Ｄｇｂ１および一対の蟻形溝Ｄｇｂ２，Ｄｇｂ２の長さ寸法Ｌｇｂは、パネル４Ｂの縦および横寸法Ｌｂと等しい（Ｌｇｂ＝Ｌｂ＝４５０ｍｍ）。
【００６３】
なお、本実施の形態では、裏板４Ｂ２は、化粧板４Ｂ１の裏面全面を覆うような一枚板ではなく、図１３に示すように、化粧板４Ｂ１の裏面の中央部を除く周縁部を覆う態様で構成されている。即ち、裏板４Ｂ２は、化粧板４Ｂ１の縦方向に沿うように当該縦方向の全域に亘って延在する一対の細板４Ｂ２１，４Ｂ２１と、化粧板４Ｂ１の横方向に沿うように一対の細板４Ｂ２１，４Ｂ２１間に亘って延在する一対の細板４Ｂ２２，４Ｂ２２と、から構成されている。このように裏板４Ｂ２を構成することにより、パネル４Ｂの重量が必要以上に増加することを防止することができる。なお、一対の細板４Ｂ２１，４Ｂ２１には、一対の蟻形溝Ｄｇｂ１，Ｄｇｂ１と一対の蟻形溝Ｄｇｂ２，Ｄｇｂ２の一部とが形成されており、一対の細板４Ｂ２２，４Ｂ２２には、一対の蟻形溝Ｄｇｂ２，Ｄｇｂ２の残り部分が形成されている。
【００６４】
また、一対の蟻形溝Ｄｇｂ１，Ｄｇｂ１および一対の蟻形溝Ｄｇｂ２，Ｄｇｂ２は、それぞれ上側枠２０および下側枠４０に設けられた一対の第１、第２および第３蟻形ほぞ３０，３０，３２，３２，５０，５０に対応する形状、即ち、溝底に向かうのに伴って溝幅が漸増する形状を有している。換言すれば、対の蟻形溝Ｄｇｂ１，Ｄｇｂ１および一対の蟻形溝Ｄｇｂ２，Ｄｇｂ２は、一対の側面が溝底に向かうのに伴って互いに離れる方向の傾斜角度αを有していると言うことができる。対の蟻形溝Ｄｇｂ１，Ｄｇｂ１間および一対の蟻形溝Ｄｇｂ２，Ｄｇｂ２間の間隔は、一対の第１、第２および第３蟻形ほぞ３０，３０，３２，３２，５０，５０間の間隔と同じとなるように設定されている。
【００６５】
このように、パネル４Ｂを４辺の長さが等しい正方形に形成すると共に、縦方向および横方向の両方向に同形状かつ同間隔の一対の蟻形溝Ｄｇｂ１，Ｄｇｂ１および一対の蟻形溝Ｄｇｂ２，Ｄｇｂ２を設ける構成とすることによって、パネル４Ｂの縦横方向を考慮することなく、取付用下地枠２にパネル４Ｂを取り付けることができる。これにより、作業性の向上を図ることができる。
【００６６】
パネル４Ｃは、図１４に示すように、雇い実ＳＰを有する点を除いて、パネル４Ｂと同一の構成をしている。換言すれば、パネル４Ｃは、パネル４Ｂの実溝ＳＬｂ,ＳＬｂ,ＳＬｂ,ＳＬｂのいずれか一つに雇い実ＳＰを嵌合した構成であると言うとことができる。  
【００６７】
次に、こうして構成された内壁パネルユニット１を室内の壁面Ｗに設置する際の様子について説明する。内壁パネルユニット１を室内の壁面Ｗに設置するに際し、まず、取付用下地枠２を組み立てる。取付用下地枠２の組み立ては、上側枠２０と下側枠４０とを一体にするとともに、上側枠２０にアジャスタボルト７０，７０を組み付けることにより行う。
【００６８】
上側枠２０と下側枠４０との組み付けは、上側枠２０の切欠き段差部２５，２５と、下側枠４０の切欠き段差部４５，４５と、を整合させて、切欠き段差部２５，２５の貫通孔２５ｂ，２５ｂおよび切欠き段差部４５，４５の袋小路孔４５ｂ，４５ｂにダボを圧入嵌合することにより行う。上側枠２０と下側枠４０とが組み付けられた状態においては、第２蟻形ほぞ３２，３２と第３蟻形ほぞ５０，５０とが一直線上に配置されて一条の蟻形ほぞを構成する。第２蟻形ほぞ３２，３２および第３蟻形ほぞ５０，５０は、本発明における「第２蟻形ほぞ」に対応する実施構成の一例である。
【００６９】
なお、本実施の形態では、上側枠２０の低ほぞ部３０ａ，３０ａに、予め（例えば、内壁パネルユニット１の梱包時に）、板バネＰＳ，ＰＳを取り付けておくとともに、アジャスタボルト７０，７０の一部である取付金具７８，７８を、上側枠２０の一条の凹溝２３ａ，２３ａ内に取り付けておく構成とした（図８および図９参照）。これにより、内壁パネルユニット１を壁面Ｗに設置する作業者の作業負担を低減することができる。しかしながら、板バネＰＳ，ＰＳや取付金具７８，７８の低ほぞ部３０ａ，３０ａや一条の凹溝２３ａ，２３ａ内への取り付けは、内壁パネルユニット１を壁面Ｗに設置する作業者が行う構成としても良いことは言うまでもない。
【００７０】
こうして上側枠２０と下側枠４０とを一体にした後、上側枠２０の一条の凹溝２３ａ，２３ａ内に予め一体にされた取付金具７８，７８の貫通孔７８ａ’，７８ａ’，７８ｂ’ ，７８ｂ’に、受部７４，７４を介して上側角材９０に一体にされたナット７６，７６付きの軸部７２，７２を挿通することによって、アジャスタボルト７０，７０が上側枠２０に取り付けられ、取付用下地枠２の組み立てが完了する（図２参照）。
【００７１】
続いて、こうして組み立てられた取付用下地枠２を壁面Ｗに近接ないし当接させた状態で、天井面ＣＳおよび床面ＦＳ間に設置する。具体的には、取付用下地枠２の長手方向の長さ、即ち、上側角材９０から下側角材４９までの長さが、天井面ＣＳから床面ＦＳまでの寸法（例えば、２４００ｍｍ）よりも若干短くなるように、アジャスタボルト７０，７０によって調整（軸部７２，７２が上側枠２０の袋小路孔２３ｂ，２３ｂ内に向かって移動する方向にナット７６，７６を回す）した上で、上側角材９０が天井面ＣＳを向くとともに下側角材４９が床面ＦＳを向くように取付用下地枠２を壁面Ｗに近接ないし当接させた状態で立て掛ける。そして、上側角材９０が天井面ＣＳに当接するようにアジャスタボルト７０，７０を調整する（軸部７２，７２が上側枠２０の袋小路孔２３ｂ，２３ｂ内から遠ざかる方向に向かって移動する方向にナット７６，７６を回す）。こうして、取付用下地枠２が天井面ＣＳと床面ＦＳとの間で突っ張られた状態で固定される（図２参照）。上側角材９０のうち天井面ＣＳに当接する面は、本発明における「第２平面」に対応し、下側角材４９のうち床面ＦＳに当接する面は、本発明における「第１平面」に対応する実施構成の一例である。
【００７２】
次に、こうして天井面ＣＳと床面ＦＳとの間で突っ張られた状態で固定された取付用下地枠２にパネル４Ａ，４Ｂ，４Ｃを取り付ける。取付用下地枠２へのパネル４Ａ，４Ｂ，４Ｃの取り付けは、まず、パネル４Ａから行う。図１５に示すように、パネル４Ａの化粧板４Ａ１の化粧面が室内側を向いた状態、即ち、蟻形溝Ｄｇａ，Ｄｇａが取付用下地枠２側を向いた状態で、パネル４Ａを取付用下地枠２の切欠き３４，３４上に配置する。このとき、蟻形溝Ｄｇａ，Ｄｇａと取付用下地枠２の第２蟻形ほぞ３２，３２とを整合させておく。
【００７３】
当該状態からパネル４Ａを床面ＦＳ側にスライドさせて、図１６に示すように、蟻形溝Ｄｇａ，Ｄｇａを第２蟻形ほぞ３２，３２に係合させる。当該状態のままパネル４Ａの横方向に延在する側面の一方が床面ＦＳに当接するまでパネル４Ａをスライドさせる。なお、蟻形溝Ｄｇａ，Ｄｇａと第２蟻形ほぞ３２，３２との係合は途中から蟻形溝Ｄｇａ，Ｄｇａと第３蟻形ほぞ５０，５０との係合に代わり、パネル４Ａが床面ＦＳに当接した際には、蟻形溝Ｄｇａ，Ｄｇａは第３蟻形ほぞ５０，５０と係合された状態となっている。即ち、パネル４Ａは、蟻形溝Ｄｇａ，Ｄｇａと第３蟻形ほぞ５０，５０との係合によって、取付用下地枠２に取り付けられる。
【００７４】
続いて、パネル４Ａと同様の方法により２枚のパネル４Ｂを取付用下地枠２に取り付ける。具体的には、パネル４Ｂの化粧板４Ｂ１の化粧面が室内側を向いた状態、即ち、蟻形溝Ｄｇｂ１，Ｄｇｂ１，Ｄｇｂ２，Ｄｇｂ２が取付用下地枠２側を向いた状態で、図１７に示すように、パネル４Ｂを取付用下地枠２の切欠き３４，３４上に配置する。このとき、蟻形溝Ｄｇｂ１，Ｄｇｂ１と取付用下地枠２の第２蟻形ほぞ３２，３２とを整合させておく。
【００７５】
当該状態からパネル４Ｂを床面ＦＳ側にスライドさせて、図１６に示すように、蟻形溝Ｄｇｂ１，Ｄｇｂ１を第２蟻形ほぞ３２，３２に係合させる。１枚目のパネル４Ｂは、当該状態のまま当該１枚目のパネル４Ｂの横方向に延在する側面の一方がパネル４Ａの横方向に延在する側面の他方に当接するまで当該１枚目のパネル４Ｂをスライドさせる。一方、２枚目のパネル４Ｂは、当該２枚目のパネル４Ｂの横方向に延在する側面の一方が１枚目のパネル４Ｂの横方向に延在する側面の他方に当接するまで当該２枚目のパネル４Ｂをスライドさせる。なお、２枚のパネル４Ｂの蟻形溝Ｄｇｂ１，Ｄｇｂ１と第２蟻形ほぞ３２，３２との係合は、途中から蟻形溝Ｄｇｂ１，Ｄｇｂ１と第３蟻形ほぞ５０，５０との係合に代わり、最終的には、２枚のパネル４Ｂの蟻形溝Ｄｇｂ１，Ｄｇｂ１は、第３蟻形ほぞ５０，５０と係合された状態となっている（図１８参照）。即ち、２枚のパネル４Ｂは、蟻形溝Ｄｇｂ１，Ｄｇｂ１と第３蟻形ほぞ５０，５０との係合によって、取付用下地枠２に取り付けられる。
【００７６】
次に、パネル４Ａ，４Ｂと同様の方法によりパネル４Ｃを取付用下地枠２に取り付ける。具体的には、パネル４Ｃの化粧板４Ｃ１の化粧面が室内側を向いた状態、即ち、蟻形溝Ｄｇｂ１，Ｄｇｂ１，Ｄｇｂ２，Ｄｇｂ２が取付用下地枠２側を向いた状態で、かつ、雇い実ＳＰが天井面ＣＳを向いた状態で、図１８に示すように、パネル４Ｃを取付用下地枠２の切欠き３４，３４上に配置する。このとき、蟻形溝Ｄｇｂ１，Ｄｇｂ１と取付用下地枠２の第２蟻形ほぞ３２，３２とを整合させておく。
【００７７】
当該状態からパネル４Ｃを床面ＦＳ側にスライドさせて、図１６に示すように、蟻形溝Ｄｇｂ１，Ｄｇｂ１を第２蟻形ほぞ３２，３２に係合させる。当該状態のままパネル４Ｃの横方向に延在する側面の一方が２枚目のパネル４Ｂの横方向に延在する側面の他方に当接するまでパネル４Ｃをスライドさせる。なお、パネル４Ｃの蟻形溝Ｄｇｂ１，Ｄｇｂ１は、途中から第３蟻形ほぞ５０，５０とも係合して、最終的には、パネル４Ｃの蟻形溝Ｄｇｂ１，Ｄｇｂ１は、第２および第３蟻形ほぞ３２，３２，５０，５０の両方に係合された状態となっている（図１９参照）。即ち、パネル４Ｃは、蟻形溝Ｄｇｂ１，Ｄｇｂ１と第２および第３蟻形ほぞ３２，３２，５０，５０との係合によって、取付用下地枠２に取り付けられる。
【００７８】
続いて、他のパネル４Ａ，４Ｂ，４Ｃと同様、パネル４Ｂの化粧板４Ｂ１の化粧面が室内側を向いた状態、即ち、蟻形溝Ｄｇｂ１，Ｄｇｂ１，Ｄｇｂ２，Ｄｇｂ２が取付用下地枠２側を向いた状態で、図１９に示すように、再びパネル４Ｂを取付用下地枠２の切欠き３４，３４上に配置する。このとき、蟻形溝Ｄｇｂ１，Ｄｇｂ１と取付用下地枠２の第１蟻形ほぞ３０，３２０を整合させておく。
【００７９】
当該状態からパネル４Ｂを天井面ＣＳ側にスライドさせて、図１６に示すように、蟻形溝Ｄｇｂ１，Ｄｇｂ１を第１蟻形ほぞ３０，３０に係合させる。当該状態のまま、図２０に示すように、パネル４Ｂの横方向に延在する側面の一方が天井面ＣＳに近接する位置までスライドさせる。ここで、第１蟻形ほぞ３０，３０の低ほぞ部３０ａ，３０ａに取り付けた板バネＰＳ，ＰＳの湾曲状部Ｃｐｓの一部が、第１蟻形ほぞ３０，３０の突出端（第１蟻形ほぞ３０，３０の表側小端２４，２４からの突出方向における先端）よりも所定量ｄだけ突出しているため（図８参照）、パネル４Ｂが天井面ＣＳ側へスライドされる際に、図２１に示すように、板バネＰＳ，ＰＳがパネル４Ｂと低ほぞ部３０ａ，３０ａとの間で圧縮変形される。天井面ＣＳ側にスライドされるパネル４Ｂは、本発明における「第１パネル」に対応する実施構成の一例である。
【００８０】
これにより、当該板バネＰＳ，ＰＳの圧縮変形による板バネＰＳ，ＰＳの復元力が、パネル４Ｂを主柱２２，２２から遠ざける方向に作用し、パネル４Ｂの蟻形溝Ｄｇｂ１，Ｄｇｂ１と主柱２２，２２の第１蟻形ほぞ３０，３０との間の摩擦力が増大する。当該摩擦力の重力方向成分は、その大きさがパネル４Ｂの重力よりも大きく、かつ、その作用方向がパネル４Ｂの重量の作用方向とは反対向きとなるため、パネル４Ｂから手を放してもパネル４Ｂが落下することなく、図２２に示すように、天井面ＣＳに近接した位置にスライドされた状態を維持し得る。
【００８１】
当該状態において、化粧板４Ｃ１の化粧面が室内側を向いた状態、即ち、蟻形溝Ｄｇｂ１，Ｄｇｂ１，Ｄｇｂ２，Ｄｇｂ２が取付用下地枠２側を向いた状態で、かつ、雇い実ＳＰが天井面ＣＳを向いた状態で、図２２および図２３に示すように、最後のパネル４Ｃを取付用下地枠２の切欠き３４，３４上に配置する。最後に取付用下地枠２に取り付けられる（切欠き３４，３４に配置される）パネル４Ｃは、本発明における「第３パネル」に対応する実施構成の一例である。
【００８２】
そして、当該最後に取付用下地枠２に取り付けられるパネル４Ｃを床面ＦＳ側にスライドさせて、図２４に示すように、当該最後に取付用下地枠２に取り付けられるパネル４Ｃの横方向に延在する側面のうち下方（床面ＦＳ側）を向く実溝ＳＬｂを、既に取付用下地枠２に取り付けられたパネル４Ｃ（最後に取付用下地枠２に取り付けられるパネル４Ｃの直下に配置されたパネル４Ｃ）に設けた雇い実ＳＰに係合させる。
【００８３】
ここで、最後に取付用下地枠２に取り付けられるパネル４Ｃの横方向に延在する側面のうち下方（床面ＦＳ側）を向く側面は、本発明における「第４辺部」に対応し、最後に取付用下地枠２に取り付けられるパネル４Ｃの直下に配置されたパネル４Ｃのうち上方（天井面ＣＳ側）を向く側面（雇い実ＳＰが設けられた側面）は、本発明における「第２辺部」に対応する実施構成の一例である。また、最後に取付用下地枠２に取り付けられるパネル４Ｃの横方向に延在する側面のうち下方（床面ＦＳ側）を向く実溝ＳＬｂは、本発明における「第４凹部」に対応し、最後に取付用下地枠２に取り付けられるパネル４Ｃの直下に配置されたパネル４Ｃに設けた雇い実ＳＰは、本発明における「第２凸部」に対応する実施構成の一例である。
【００８４】
続いて、図２５に示すように、天井面ＣＳ寄りにスライドさせておいたパネル４Ｂを床面ＦＳ側にスライドさせて、図２６に示すように、当該パネル４Ｂの横方向に延在する側面のうち下方（床面ＦＳ側）を向く実溝ＳＬｂを、最後に取付用下地枠２に取り付けられるパネル４Ｃに設けた雇い実ＳＰに係合させる。このように、最上方（最も天井面ＣＳ側）に配置されたパネル４Ｂは、蟻形溝Ｄｇｂ１，Ｄｇｂ１と第１蟻形ほぞ３０，３０との係合によって取付用下地枠２に取り付けられ、最後に取り付けられるパネル４Ｃは、蟻形溝Ｄｇｂ１，Ｄｇｂ１と第１蟻形ほぞ３０，３０や第２蟻形ほぞ３２，３２、あるいは、第３蟻形ほぞ５０，５０との係合ではなく、当該最後に取り付けられるパネル４Ｃの直下（床面ＦＳ側）に配置されたパネル４Ｃおよび当該最後に取り付けられるパネル４Ｃの直上（天井面ＣＳ側）に配置されたパネル４Ｂそれぞれとの雇い実継によって取付用下地枠２に取り付けられる。こうして、取付用下地枠２へのパネル４Ａ，４Ｂ，４Ｃの取り付けの完了と共に内壁パネルユニット１の壁面Ｗへの設置が完了する。
【００８５】
ここで、パネル４Ｂの横方向に延在する側面のうち下方（床面ＦＳ側）を向く側面は、本発明における「第１辺部」に対応し、最後に取付用下地枠２に取り付けられるパネル４Ｃの側面のうち上方（天井面ＣＳ側）を向く側面（雇い実ＳＰが設けられた側面）は、本発明における「第３辺部」に対応する実施構成の一例である。また、パネル４Ｂの横方向に延在する側面のうち下方（床面ＦＳ側）を向く実溝ＳＬｂは、本発明における「第１凹部」に対応し、最後に取付用下地枠２に取り付けられるパネル４Ｃに設けた雇い実ＳＰは、本発明における「第３凸部」に対応する実施構成の一例である。
【００８６】
なお、実際に室内の壁面Ｗの模様替えを行う場合には、図２７に示すように、複数の内壁パネルユニット１を壁面Ｗに設置することになる。この場合、図２８に示すように、まず、上述した手順で天井面ＣＳと床面ＦＳとの間に突っ張った状態で固定された取付用下地枠２を水平方向に複数配列した後、各取付用下地枠２にパネル４Ａ，４Ｂ，４Ｃを上述した手順で取り付ければ良い。ここで、取付用下地枠２は、各取付用下地枠２間の間隔がパネル４Ａ，４Ｂ，４Ｃの横寸法Ｌａ２，Ｌｂと同じとなるように設置する必要があるが、本実施の形態では、取付用下地枠２の上側角材９０および下側角材４９の長手方向の長さがパネル４Ａ，４Ｂ，４Ｃの横寸法Ｌａ２，Ｌｂと同じに設定されているため、各取付用下地枠２の各上側および下側角材９０，４９の長手方向の端面同士を当接させるのみで、各取付用下地枠２間の間隔をパネル４Ａ，４Ｂ，４Ｃの横寸法Ｌａ２，Ｌｂと同じにすることができる。これにより、内壁パネルユニット１の施工性の向上を図ることができる。
【００８７】
以上説明した本実施の形態に係る内壁パネルユニット１によれば、室内の壁面Ｗに取付用下地枠２を当接ないし近接させた状態で配置して、アジャスタボルト７０，７０によって取付用下地枠２の長さを調節することによって、天井面ＣＳと床面ＦＳとの間で突っ張った状態で取付用下地枠２を固定することができるとともに、パネル４Ａ，４Ｂ，４Ｃの蟻形溝Ｄｇａ，Ｄｇａ，Ｄｇｂ１，Ｄｇｂ１を取付用下地枠２の第１、第２および第３蟻形ほぞ３０，３０，３２，３２，５０，５０に係合させることによって、複数のパネル４Ａ，４Ｂ，４Ｃを取付用下地枠２に取付けることができる。即ち、ボルトやネジなどの締結部材を用いることなく、室内の壁面Ｗに対向した位置に複数のパネル４Ａ，４Ｂ，４Ｃを設置することができる。これにより、居住者自身で室内の模様替えを手軽に行うことができる。なお、パネルの交換が容易なため、好みのデザインや用途に応じたパネルを選択する自由度が増加する。また、パネルの設置に際して、接着剤や両面テープなどを用いていないため、経時劣化による内壁パネルユニットの壁面からの脱落（剥がれ）が生じることや、既存の壁面を傷つけることがない。なお、既存の壁面を傷つけることがないため、内壁パネルユニットの解体後においても、原状回復が可能である。
【００８８】
また、本実施の形態に係る内壁パネルユニット１によれば、パネル４Ａ，４Ｂ，４Ｃの取付用下地枠２への取り付けは、第１および第２蟻形ほぞ３０，３０，３２，３２間に設けた切欠き３４を介して行うことができるため、室内の壁面Ｗに取付用下地枠２を設置した後で、パネル４Ａ，４Ｂ，４Ｃを取付用下地枠２に取り付けることができる。これにより、内壁パネルユニット１の壁面Ｗへの設置をより簡単なものとすることができる。
【００８９】
さらに、本実施の形態に係る内壁パネルユニット１によれば、切欠き３４に配置されることになるパネル４Ｃは、当該パネル４Ｃに設けた雇い実ＳＰを、当該パネル４Ｃの直上に配置されるパネル４Ｂの実溝ＳＬｂに係合させると共に、当該パネル４Ｃの実溝ＳＬｂに、当該パネル４Ｃの直下に配置されるパネル４Ｃに設けた雇い実ＳＰを係合させることによって、間接的に取付用下地枠２に取り付けることができる。これにより、切欠き３４を設けたことによるパネル４Ａ，４Ｂ，４Ｃの取付用下地枠２への取り付け性の向上と、パネル４Ａ，４Ｂ，４Ｃの取付用下地枠２からの脱落防止と、の両立を図ることができる。なお、切欠き３４に配置されることになるパネル４Ｃの直上に配置されるパネル４Ｂは、板バネＰＳ，ＰＳによって、切欠き３４よりも天井面側に寄った状態で保持されるため、切欠き３４に配置されるパネル４Ｃを取付用下地枠２に取り付ける際に、パネル４Ｂを手で押さえるなどする必要がない。これにより、作業性の向上を図ることができる。
【００９０】
また、本実施の形態に係る内壁パネルユニット１によれば、取付用下地枠２は、上側角材９０を介して天井面ＣＳと当接すると共に、下側角材４９を介して床面ＦＳと当接する構成であるため、取付用下地枠２を天井面ＣＳおよび床面ＦＳと比較的広い面積で面接触させることができる。これにより、天井面ＣＳおよび床面ＦＳに対する突っ張り力が同じであれば、天井面ＣＳや床面ＦＳに作用する面圧を低下させることができる。これにより、天井面ＣＳや床面ＦＳを傷つけることを抑制することができ、内壁パネルユニット１の解体後においても、原状回復が可能である。また、取付用下地枠２が天井面ＣＳおよび床面ＦＳと比較的広い面積で面接触され得るため、天井面ＣＳや床面ＦＳに設けられた下地に取付用下地枠２を確実に当接させることができる。これにより、取付用下地枠２の固定を安定したものとすることができる。さらに、上側角材９０や下側角材４９をパネル４Ｂと天井面ＣＳとの隙間、あるいは、パネル４Ａと床面ＦＳとの隙間の目地としても機能させることができるため、意匠的にも良好なものとすることができる。
【００９１】
なお、上側角材９０や下側角材４９の長手方向の長さを、パネル４Ａ，４Ｂ，４Ｃの横寸法Ｌａ２，Ｌｂと同じに設定する構成であるため、各取付用下地枠２の各上側および下側角材９０，４９の長手方向の端面同士を当接させるのみで、各取付用下地枠２間の間隔をパネル４Ａ，４Ｂ，４Ｃの横寸法Ｌａ２，Ｌｂと同じにすることができる。これにより、内壁パネルユニット１の施工性の向上を図ることができる。
【００９２】
また、本実施の形態に係る内壁パネルユニット１によれば、取付用下地枠２を上側枠２０および下側枠４０の２分割構造としたため、取付用下地枠２をコンパクトに梱包することができると共に、搬送性の向上を図ることができる。
【００９３】
本実施の形態では、取付用下地枠２にアジャスタボルト７０，７０を用いる構成としたが、取付用下地枠２の長手方向の長さを調節することができれば、如何なる構成であっても良い。
【００９４】
本実施の形態では、板バネＰＳ，ＰＳによって、パネル４Ｂを天井面ＣＳに近接した位置にスライドさせた状態を維持する構成としたが、例えば、ボールプランジャーを用いる構成など、パネル４Ｂを天井面ＣＳに近接した位置にスライドさせた状態を一時的に維持することができる構成であれば如何なる構成であっても良い。
【００９５】
本実施の形態では、上側角材９０や下側角材４９を用いる構成としたが、上側角材９０や下側角材４９は用いなくても良い。
【００９６】
本実施の形態では、取付用下地枠２を梯子状に構成したが、これに限らない。取付用下地枠２は、例えば、板状に構成しても差し支えない。
【００９７】
本実施の形態では、取付用下地枠２やパネル４Ａ，４Ｂ，４Ｃを木製としたが、これに限らない。
【００９８】
本実施の形態では、取付用下地枠２を上側枠２０および下側枠４０の２分割構成としたが、取付用下地枠２は分割構成でなくても良い。また、取付用下地枠２を３つ以上に分割する構成としても良い。
【００９９】
本実施の形態では、切欠き段差部２５，２５の貫通孔２５ｂ，２５ｂおよび切欠き段差部４５，４５の袋小路孔４５ｂ，４５ｂにダボを圧入嵌合することにより、上側枠２０および下側枠４０を一体にする構成としたが、これに限らない。例えば、袋小路孔４５ｂ，４５ｂに直接雌ネジを形成する構成や、袋小路孔４５ｂ，４５ｂに雌ネジを有するナットを埋設する構成とし、ボルトやネジなどの締結部材を貫通孔２５ｂ，２５ｂから挿入して袋小路孔４５ｂ，４５ｂに形成した雌ネジや袋小路孔４５ｂ，４５ｂに埋設したナットの雌ネジにネジ係合することにより、上側枠２０および下側枠４０を一体にする構成としても良い。
【０１００】
本実施の形態では、内壁パネルユニット１を壁面Ｗに設置する構成としたが、これに限らない。例えば、内壁パネルユニット１を天井面に設置する構成としても良い。この場合、取付用下地枠２を対向する壁面Ｗ間に突っ張り状に固定すれば良い。
【０１０１】
本実施の形態では、パネル４Ａ，４Ｂ，４Ｃは、化粧板４Ａ１，４Ｂ１の裏面に裏板４Ａ２，４Ｂ２を一体にして、当該裏板４Ａ２，４Ｂ２に一対の蟻形溝Ｄｇａ，Ｄｇａ，Ｄｇｂ１，Ｄｇｂ１，Ｄｇｂ２，Ｄｇｂ２を形成する構成としたが、化粧板４Ａ１，４Ｂ１の裏面に裏板４Ａ２，４Ｂ２を一体にすることなく、当該化粧板４Ａ１，４Ｂ１の裏面に直接、一対の蟻形溝Ｄｇａ，Ｄｇａ，Ｄｇｂ１，Ｄｇｂ１，Ｄｇｂ２，Ｄｇｂ２を形成する構成としても良い。
【０１０２】
本実施の形態では、パネル４Ｂ，４Ｃの裏板４Ｂ２は、化粧板４Ｂ１の縦方向に沿うように当該縦方向の全域に亘って延在する一対の細板４Ｂ２１，４Ｂ２１と、化粧板４Ｂ１の横方向に沿うように一対の細板４Ｂ２１，４Ｂ２１間に亘って延在する一対の細板４Ｂ２２，４Ｂ２２と、から構成して、化粧板４Ｂ１の裏面の中央部を除く周縁部を覆う態様としたが、裏板４Ｂ２は、化粧板４Ｂ１と同じ形状、大きさの１枚板から構成して、化粧板４Ｂ１の裏面の全面を覆う態様としても良い。
【０１０３】
本実施の形態では、パネル４Ｂ，４Ｃには、縦方向に延在する蟻形溝Ｄｇｂ１，Ｄｇｂ１および横方向に延在する蟻形溝Ｄｇｂ２，Ｄｇｂ２を設ける構成としたが、少なくとも縦方向に延在する蟻形溝Ｄｇｂ１，Ｄｇｂ１があれば良い。
【０１０４】
本実施の形態では、パネル４Ｂ，４Ｃは、正方形としたが、これに限らない。例えば、パネル４Ｂ，４Ｃは、長方形としても良い。
【０１０５】
本実施の形態では、取付用下地枠２に最後に取り付けるパネル４Ｃの上側の側面に設けた雇い実ＳＰを最上部に配置されるパネル４Ｂの下側の側面に設けた実溝ＳＬｂに係合させると共に、取付用下地枠２に最後に取り付けるパネル４Ｃの直下に配置されるパネル４Ｃの上側の側面に設けた雇い実ＳＰを取付用下地枠２に最後に取り付けるパネル４Ｃの下側の側面に設けた実溝ＳＬｂに係合させる構成としたが、取付用下地枠２に最後に取り付けるパネル４Ｃが、当該パネル４Ｃの直上および直下に配置されるパネル４Ｂ，４Ｃとの実継によって取付用下地枠２に取り付けられる構成であれば、雇い実ＳＰおよび実溝ＳＬｂの組合せは、如何なる組合せであっても良い。例えば、取付用下地枠２に最後に取り付けるパネル４Ｃの上下の側面に実溝ＳＬｂ，ＳＬｂを設け、当該パネル４Ｃの直上に配置されるパネル４Ｂの下側の側面および当該パネル４Ｃの直下に配置されるパネル４Ｃの上側の側面に雇い実ＳＰ，ＳＰを設ける構成や、逆に、取付用下地枠２に最後に取り付けるパネル４Ｃの上下の側面に雇い実ＳＰ，ＳＰを設け、当該パネル４Ｃの直上に配置されるパネル４Ｂの下側の側面および当該パネル４Ｃの直下に配置されるパネル４Ｃの上側の側面に実溝ＳＬｂ，ＳＬｂを設ける構成などが考えられる。
【０１０６】
本実施の形態では、取付用下地枠２に最後に取り付けるパネル４Ｃの上側の側面および当該パネル４Ｃの直下に配置されるパネル４Ｃの上側の側面に雇い実ＳＰを設ける構成としたが、本実を設ける構成としても良い。
【０１０７】
本実施の形態では、パネル４Ｂ，４Ｃの４つの辺の全ての側面に実溝ＳＬｂ，ＳＬｂ，ＳＬｂ，ＳＬｂを設ける構成としたが、実溝ＳＬｂは、必要な側面のみに設ける構成としても良い。
【０１０８】
本実施の形態では、一対の蟻形溝Ｄｇｂ１，Ｄｇｂ１および一対の蟻形溝Ｄｇｂ２，Ｄｇｂ２をパネル４Ｂ，４Ｃの縦方向の全域および横方向の全域に亘って形成する構成としたが、図２９の変形例のパネル１０４Ｂ，１０４Ｃに例示するように、一対の蟻形溝Ｄｇｂ１００，Ｄｇｂ１００および一対の蟻形溝Ｄｇｂ１０２，Ｄｇｂ１０２は、パネル１０４Ｂ，１０４Ｃの縦方向の長さおよび横方向の長さよりも短くても良い。この場合、一対の蟻形溝Ｄｇｂ１００，Ｄｇｂ１００および一対の蟻形溝Ｄｇｂ１０２，Ｄｇｂ１０２は、化粧板１０４Ｂ１の縦方向の長さよりも短い一対の細板１０４Ｂ２１，１０４Ｂ２１と、化粧板１０４Ｂ１の横方向の長さよりも短い一対の細板１０４Ｂ２２，１０４Ｂ２２に形成すれば良い。
【０１０９】
本実施形態は、本発明を実施するための形態の一例を示すものである。したがって、本発明は、本実施形態の構成に限定されるものではない。
【符号の説明】
【０１１０】
１            内壁パネルユニット（内壁パネルユニット）
２            取付用下地枠（基部材）
４Ａ          パネル
４Ａ１        化粧板
４Ａ２        裏板
４Ａ１ｓ      横側面
４Ｂ          パネル（パネル、第１パネル）
４Ｂ１        化粧板
４Ｂ２        裏板
４Ｂ２１      細板
４Ｂ２２      細板
４Ｃ          パネル（パネル、第２パネル、第３パネル）
１０          枠本体
２０          上側枠（第１部分）
２２          主柱（主柱）
２３          小口（主柱の長手方向の第１端部）
２３ａ        凹溝
２３ｂ        袋小路孔
２４          表側小端
２５          切欠き段差部（第５凹部、第５凸部）
２５ａ        段差面
２６          裏側小端
２８          連結梁（連結梁）
３０          第１蟻形ほぞ（蟻形ほぞ、第１蟻形ほぞ）
３０ａ        低ほぞ部
３０ｂ        ネジ孔
３１          一対の側面
３２          第２蟻形ほぞ（蟻形ほぞ、第２蟻形ほぞ）
３４          切欠き（切欠き）
４０          下側枠（第２部分）
４２          主柱（主柱）
４３          小口
４４          表側小端
４５          切欠き段差部（第６凸部、第６凹部）
４５ａ        段差面
４５ｂ        袋小路孔
４６          裏側小端
４９          下側角材（第１端部梁）
５０          第３蟻形ほぞ（蟻形ほぞ、第２蟻形ほぞ）
７０          アジャスタボルト（伸縮部、アジャスタボルト）
７２          軸部
７４          受部（アジャスタボルトの軸線方向の第２端部）
７４ａ        貫通孔
７６          ナット
７８          取付金具
７８ａ        金具本体
７８ａ’      貫通孔
７８ｂ        座金
７８ｂ’      貫通孔
９０          上側角材（第２端部梁）
ＣＳ          天井面
ＦＳ          床面
Ｗ            壁面（壁面）
ＰＳ          板バネ（保持部、板バネ）
Ｐｐｓ１      平面部
Ｐｐｓ２      平面部
Ｃｐｓ        湾曲状部
ｈｐ          貫通孔
ｃｌ          隙間
ｄ            所定量
Ｌｎ          切欠きの長さ
ｗｕ          Ｕ字幅
Ｌａ１        縦寸法
Ｌａ２        横寸法
ＳＬａ        実溝
Ｄｇａ        蟻形溝
Ｌｇａ        蟻形溝の長さ寸法
ＳＬｂ        実溝（第１凹部、第４凹部）
ＳＰ          雇い実（第２凸部、第３凸部）
Ｄｇｂ１      蟻形溝（蟻形溝）
Ｄｇｂ２      蟻形溝（蟻形溝）
Ｌｇｂ        蟻形溝の長さ寸法
【図１】
2020023786.tif 000003
【図２】
2020023786.tif 000004
【図３】
2020023786.tif 000005
【図４】
2020023786.tif 000006
【図５】
2020023786.tif 000007
【図６】
2020023786.tif 000008
【図７】
2020023786.tif 000009
【図８】
2020023786.tif 000010
【図９】
2020023786.tif 000011
【図１０】
2020023786.tif 000012
【図１１】
2020023786.tif 000013
【図１２】
2020023786.tif 000014
【図１３】
2020023786.tif 000015
【図１４】
2020023786.tif 000016
【図１５】
2020023786.tif 000017
【図１６】
2020023786.tif 000018
【図１７】
2020023786.tif 000019
【図１８】
2020023786.tif 000020
【図１９】
2020023786.tif 000021
【図２０】
2020023786.tif 000022
【図２１】
2020023786.tif 000023
【図２２】
2020023786.tif 000024
【図２３】
2020023786.tif 000025
【図２４】
2020023786.tif 000026
【図２５】
2020023786.tif 000027
【図２６】
2020023786.tif 000028
【図２７】
2020023786.tif 000029
【図２８】
2020023786.tif 000030
【図２９】
2020023786.tif 000031
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
室内の壁面を装飾するための内壁パネルユニットであって、
長手方向に伸縮自在かつ所望の伸縮状態を維持可能な伸縮部と、前記長手方向に延在する少なくとも１条の蟻形ほぞと、を有する長尺状の基部材と、
前記蟻形ほぞに係合可能な少なくとも１条の蟻形溝を有する複数のパネルと、
を備え、
前記蟻形ほぞは、第１蟻形ほぞと、切欠きを挟んで該第１蟻形ほぞと直列に配置された第２蟻形ほぞと、を有しており、
前記パネルは、前記蟻形溝を介して前記第１蟻形ほぞに係合される第１パネルと、前記蟻形溝を介して前記第２蟻形ほぞに係合される第２パネルと、前記切欠きに配置される第３パネルと、を有しており、
前記第１パネルは、前記蟻形溝の延在方向と直交する方向に延在する第１辺部に第１凹部または第１凸部を有しており、
前記第２パネルは、前記蟻形溝の延在方向と直交する方向に延在する第２辺部に第２凹部または第２凸部を有しており、
前記第３パネルは、前記蟻形溝の延在方向と直交する方向に延在する第３辺部に前記第１凹部または前記第１凸部に係合する第３凸部または第３凹部を有していると共に、前記蟻形溝の延在方向と直交する方向に延在する第４辺部に前記第２凹部または前記第２凸部に係合する第４凸部または第４凹部を有している
内壁パネルユニット。
【請求項２】
前記基部材は、前記第１蟻形ほぞに係合された前記第１パネルまたは前記第２蟻形ほぞに係合された前記第２パネルを前記長手方向の所定位置に一時的に保持可能な保持部を有している
請求項１に記載の内壁パネルユニット。
【請求項３】
前記保持部は、前記基部材と前記第１パネルまたは前記第２パネルとの間に配置された板バネを有している
請求項２に記載の内壁パネルユニット。
【請求項４】
前記切欠きは、前記第１、第２および第３パネルそれぞれの前記蟻形溝の長さのうち最も長い前記蟻形溝の長さ以上となる長さを有している
請求項１ないし３のいずれか１項に記載の内壁パネルユニット。
【請求項５】
前記第１蟻形ほぞは、前記第１パネルの前記蟻形溝の延在方向の１/２以上の長さに亘って、前記第１パネルの前記蟻形溝と係合可能な長さを有しており、
前記第２蟻形ほぞは、前記第２パネルの前記蟻形溝の延在方向の１/２以上の長さに亘って、前記第２パネルの前記蟻形溝と係合可能な長さを有している
請求項１ないし４のいずれか１項に記載の内壁パネルユニット。
【請求項６】
前記基部材は、長尺状の一対の主柱と、該一対の主柱を連結する複数の連結梁と、を有しており、
前記伸縮部は、一対のアジャスタボルトを有しており、
該アジャスタボルトは、該アジャスタボルトの軸線方向の第１端部が前記一対の主柱の各々の長手方向の第１端部に取り付けられており、
前記蟻形ほぞは、前記一対の主柱の各々に設けられており、
前記蟻形溝は、前記蟻形ほぞに対応して前記パネルに２条設けられている
請求項１ないし５のいずれか１項に記載の内壁パネルユニット。
【請求項７】
前記複数の連結梁は、前記基部材の長手方向の第２端部に取り付けられた第１端部梁を有しており、
前記伸縮部は、前記一対のアジャスタボルトの軸線方向の第２端部に取り付けられた第２端部梁を有しており、
前記第１端部梁は、前記基部材の長手方向の第２端部に取り付けられた側とは反対側に、前記基部材の長手方向と直交する第１平面を有しており、
前記第２端部梁は、前記一対のアジャスタボルトの軸線方向の第２端部に取り付けられた側とは反対側に、前記一対のアジャスタボルトの軸線方向と直交する第２平面を有している
請求項６に記載の内壁パネルユニット。
【請求項８】
前記基部材は、該基部材の長手方向の途中を境に第１部分と第２部分とに分割可能に構成されている
請求項１ないし７のいずれか１項に記載の内壁パネルユニット。
【請求項９】
前記第１部分は、該第１部分の長手方向の第１端部に第５凹部または第５凸部を有しており、
前記第２部分は、該第２部分の長手方向の第１端部に前記第５凹部または前記第５凸部に係合可能な第６凸部または第６凹部を有している
請求項８に記載の内壁パネルユニット。
【手続補正２】
【補正対象書類名】明細書
【補正対象項目名】０００９
【補正方法】変更
【補正の内容】
【０００９】
本発明に係る内壁パネルユニットの好ましい形態によれば、室内の壁面を装飾するための内壁パネルユニットが構成される。当該内壁パネルユニットは、長尺状の基部材と、複数のパネルと、を備えている。基部材は、長手方向に伸縮自在かつ所望の伸縮状態を維持可能な伸縮部と、長手方向に延在する少なくとも１条の蟻形ほぞと、を有している。また、複数のパネルは、蟻形ほぞに係合可能な少なくとも１条の蟻形溝を有している。蟻形ほぞは、第１蟻形ほぞと、切欠きを挟んで当該第１蟻形ほぞと直列に配置された第２蟻形ほぞと、を有している。また、パネルは、蟻形溝を介して第１蟻形ほぞに係合される第１パネルと、蟻形溝を介して第２蟻形ほぞに係合される第２パネルと、切欠きに配置される第３パネルと、を有している。さらに、第１パネルは、蟻形溝の延在方向と直交する方向に延在する第１辺部に第１凹部または第１凸部を有している。また、第２パネルは、蟻形溝の延在方向と直交する方向に延在する第２辺部に第２凹部または第２凸部を有している。また、第３パネルは、蟻形溝の延在方向と直交する方向に延在する第３辺部に第１凹部または第１凸部に係合する第３凸部または第３凹部を有していると共に、蟻形溝の延在方向と直交する方向に延在する第４辺部に第２凹部または前記第２凸部に係合する第４凸部または第４凹部を有している。ここで、本発明における「室内の壁面」とは、典型的には、天井面と床面とを接続する側壁の室内側の壁面がこれに該当するが、天井面を好適に包含する。また、本発明における「第１凸部」、「第２凸部」、「第３凸部」および「第４凸部」は、それぞれ第１パネル、第２パネルおよび第３パネルに一体成形される態様の他、第１パネル、第２パネルおよび第３パネルとは別体に成形した後に、当該第１パネル、第２パネルおよび第３パネルに一体にされる態様を好適に包含する。
【手続補正３】
【補正対象書類名】明細書
【補正対象項目名】００１０
【補正方法】変更
【補正の内容】
【００１０】
本発明によれば、例えば、天井面と床面とを接続する側壁の室内側の壁面に基部材を当接ないし近接させた状態で配置して、当該基部材の伸縮部を伸長させることによって、天井面と床面との間で突っ張った状態で当該基部材を固定することができると共に、パネルの蟻形溝を基部材の蟻形ほぞに係合させることによって、複数のパネルを基部材に取付けることができる。即ち、ボルトやネジなどの締結部材を用いることなく、室内の壁面に対向した位置に複数のパネルを設置することができる。これにより、居住者自身で室内の模様替えを手軽に行うことができる。なお、パネルの交換が容易なため、好みのデザインや用途に応じたパネルを選択する自由度が増加する。また、パネルの設置に際して、接着剤や両面テープなどを用いていないため、経時劣化による内壁パネルユニットの壁面からの脱落（剥がれ）が生じることや、既存の壁面を傷つけることがない。なお、既存の壁面を傷つけることがないため、内壁パネルユニットの解体後においても、原状回復が可能である。さらに、第１蟻形ほぞと第２蟻形ほぞとの間に切欠きを有するため、例えば、天井面と床面とを接続する側壁の室内側の壁面に基部材を当接ないし近接させると共に、天井面と床面との間で突っ張った状態で固定した後で、パネルを基部材に取付けることができる。これにより、内壁パネルユニットの施工性をさらに向上することができる。なお、第１および第２パネルは、第１および第２蟻形ほぞに係合されることによって、基部材に取付けられ、第３パネルは、第３凸部または第３凹部が第１パネルの第１凹部または第１凸部と係合されると共に、第４凸部または第４凹部が第２パネルの第２凹部または第２凸部と係合されることによって、第１および第２パネルを介して基部材に取付けられるため、パネルの基部材からの脱落防止と、パネルの基部材への取付性の向上と、の両立を図ることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】